(57)【要約】【課題】  離型紙からテープを取り外して被貼着物に貼着する際に、テープの粘着剤層に指を触れることなく貼着作業を行えるようにする。【解決手段】  粘着剤層１３を有するテープ１１を、被貼着物に貼着されるテープ中央部分１１ａと、その外周に分離可能に連なるテープ外周部分１１ｂとで構成し、離型紙１２を、テープ中央部分１１ａにその外周の少なくとも一部を残して積層される離型紙中央部分１２ａと、その外周に少なくとも一部が分離可能に連なる離型紙外周部分１２ｂとで構成したので、テープ中央部分１１ａから離型紙中央部分１２ａを剥がしても、テープ中央部分１１ａは両端部が離型紙外周部分１２ｂに粘着して該離型紙外周部分１２ｂと一体に保持される。従って、テープ中央部分１１ａの一部を被貼着物に貼着した後、テープ中央部分１１ａからテープ外周部分１１ｂおよび離型紙外周部分１２ｂを分離し、テープ中央部分１１ａの残部を被貼着物に貼着することで、貼着作業を完了することができる。【選択図】        図２
2007314674.tif 000002
【特許請求の範囲】
【請求項１】
片面に粘着剤層（１３）を有するテープ（１１）と、このテープ（１１）の粘着剤層（１３）を保護する離型紙（１２）とを積層した粘着テープにおいて、
前記テープ（１１）は被貼着物（Ｓ）に貼着されるテープ中央部分（１１ａ）と、このテープ中央部分（１１ａ）の外周に分離可能に連なるテープ外周部分（１１ｂ）とを備えるとともに、前記離型紙（１２）は前記テープ中央部分（１１ａ）の外周の少なくとも一部を残して該テープ中央部分（１１ａ）に積層される離型紙中央部分（１２ａ）と、この離型紙中央部分（１２ａ）の外周に少なくとも一部が分離可能に連なる離型紙外周部分（１２ｂ）とを備えることを特徴とする粘着テープ。
【請求項２】
前記離型紙中央部分（１２ａ）および前記離型紙外周部分（１２ｂ）は一部がミシン目（ｆ）を介して連なることを特徴とする、請求項１に記載の粘着テープ。
【発明の詳細な説明】
【技術分野】
【０００１】
本発明は、片面に粘着剤層を有するテープと、このテープの粘着剤層を保護する離型紙とを積層した粘着テープに関する。
【背景技術】
【０００２】
帯状の離型紙（剥離紙）上に所定間隔で配置した多数の絆創膏を一枚ずつ取り外す作業を容易化するために、離型紙を長手方向に沿う切欠（スリット）で２分割し、その２分割した離型紙の一方を絆創膏の粘着剤層から剥がした状態で、絆創膏の粘着剤層が露出した部分を指で摘んで離型紙の他方から剥がして取り外すものが、下記特許文献１により公知である。
【特許文献１】特開平５−９２０２２号公報
【発明の開示】
【発明が解決しようとする課題】
【０００３】
ところで、上記従来のものは、２分割した離型紙の他方に残った絆創膏を取り外す際に、その粘着剤層を指で摘む必要があるため、粘着剤層が汚れて貼着性能が低下する可能性があった。
【０００４】
本発明は前述の事情に鑑みてなされたもので、離型紙からテープを取り外して被貼着物に貼着する際に、テープの粘着剤層に指を触れることなく貼着作業を行えるようにすることを目的とする。
【課題を解決するための手段】
【０００５】
上記目的を達成するために、請求項１に記載された発明によれば、片面に粘着剤層を有するテープと、このテープの粘着剤層を保護する離型紙とを積層した粘着テープにおいて、前記テープは被貼着物に貼着されるテープ中央部分と、このテープ中央部分の外周に分離可能に連なるテープ外周部分とを備えるとともに、前記離型紙は前記テープ中央部分の外周の少なくとも一部を残して該テープ中央部分に積層される離型紙中央部分と、この離型紙中央部分の外周に少なくとも一部が分離可能に連なる離型紙外周部分とを備えることを特徴とする粘着テープが提案される。
【０００６】
また請求項２に記載された発明によれば、請求項１の構成に加えて、前記離型紙中央部分および前記離型紙外周部分は一部がミシン目を介して連なることを特徴とする粘着テープが提案される。
【０００７】
尚、実施の形態のサイドシルＳは本発明の被貼着物に対応する。
【発明の効果】
【０００８】
請求項１の構成によれば、テープを、被貼着物に貼着されるテープ中央部分と、このテープ中央部分の外周に分離可能に連なるテープ外周部分とで構成し、離型紙を、テープ中央部分の外周の少なくとも一部を残して該テープ中央部分に積層される離型紙中央部分と、この離型紙中央部分の外周に少なくとも一部が分離可能に連なる離型紙外周部分とで構成したので、テープ中央部分から離型紙中央部分を剥がしても、テープ中央部分はその外周の一部が離型紙外周部分に粘着して該離型紙外周部分と一体に保持される。従って、テープ外周部分および離型紙外周部分を手に持って粘着剤層が露出したテープ中央部分の一部を被貼着物に貼着した後、テープ中央部分からテープ外周部分および離型紙外周部分を分離し、テープ中央部分の前記外周の一部を被貼着物に貼着することで、貼着作業を完了することができる。その際に、テープ中央部分の粘着剤層に指を触れる必要がないため、粘着剤層の汚れを防止して貼着性能を高めるとともに、貼着部の美麗な仕上がりを確保することができる。
【０００９】
また請求項２の構成によれば、離型紙中央部分および離型紙外周部分は一部がミシン目を介して連なっているので、テープ中央部分から剥がした離型紙中央部分をミシン目において折り返すことで、テープ中央部分の貼着作業が容易になる。しかもテープ中央部分から分離した離型紙は、その離型紙中央部分および離型紙外周部分がミシン目で繋がって分離しないので、離型紙を捨てるときにゴミの数を減らすことができる。
【発明を実施するための最良の形態】
【００１０】
以下、本発明の実施の形態を添付の図面に基づいて説明する。
【００１１】
図１〜図６は本発明の第１の実施の形態を示すもので、図１は自動車のサイドシルに貼られたチッピング防止用のテープを示す図、図２は粘着テープの斜視図、図３は図２の３方向矢視図、図４は粘着テープの貼着工程を示す第１分図、図５は図４の５−５線断面図、図６は粘着テープの貼着工程を示す第２分図である。
【００１２】
図１に示すように、自動車のサイドシルＳの側面に前輪が撥ね上げた小石等が当たって塗装面が傷つくのを防止するためのテープ（以下に説明するテープ中央部分１１ａ）が貼着される。
【００１３】
図２および図３に示すように、前記テープ中央部分１１ａを含む粘着テープＴは、片面に粘着剤層１３が形成された合成樹脂製のテープ１１と、テープ１１の粘着剤層１３を保護するように積層された同一寸法の離型紙１２とで構成される。離型紙１２はテープ１１の粘着剤層１３が粘着し難い表面処理が施されている。従って、離型紙１２およびテープ１１は分離しないように軽く粘着しているが、保護紙１２はテープ１１から容易に剥離可能である。
【００１４】
テープ１１はコ字状のスリットａ，ｂ，ｃによりテープ中央部分１１ａとテープ外周部分１１ｂとに分かれており、テープ中央部分１１ａはサイドシルＳに貼着され、テープ外周部分１１ｂは最終的に離型紙１２と共に捨てられる。離型紙１２は全体としてコ字状を成す二つのスリットｄ，ｅと一つのミシン目ｆとによって離型紙中央部分１２ａと離型紙外周部分１２ｂとに分かれている。離型紙中央部分１２ａはテープ中央部分１１ａから剥がされるが、離型紙外周部分１２ｂは最後までテープ外周部分１１ｂから剥がされることはない。
【００１５】
テープ１１のスリットａは離型紙１２のスリットｄと重なる位置にあるが、テープ１１のスリットｂ，ｃは離型紙１２のスリットｅおよびミシン目ｆよりも内側に位置している。従ってテープ中央部分１１ａは離型紙中央部分１２ａよりも、図３に網掛けして示す二つの部分だけ大きくなっている。スリットａ〜ｅはテープ１１あるいは離型紙１２を完全に切断しており、ミシン目ｆは離型紙１２をその部分で折り曲げ易くしている。
【００１６】
次に、上記構成を備えた本発明の第１の実施の形態の作用を説明する。
【００１７】
先ず、図４（ａ）に示すように、粘着テープＴのスリットｂ，ｅの近傍をテープ１１側に湾曲させると（矢印Ａ１参照）、離型紙中央部分１２ａがスリットｅにおいて離型紙外周部分１２ｂから分離してテープ中央部分１１ａから浮き上がるため、その浮き上がった部分を摘んで引っ張ることで（矢印Ａ２参照）、離型紙中央部分１２ａをスリットｄに沿ってテープ１１から容易に剥がすことができ、これによりテープ中央部分１１ａが露出する。
【００１８】
このとき、離型紙中央部分１２ａはテープ中央部分１１ａをよりも若干小さいため、テープ中央部分１１ａの長手方向両端部は離型紙外周部分１２ｂにより覆われたままであり、その部分でテープ中央部分１１ａが離型紙外周部分１２ｂに粘着することで、テープ中央部分１１ａが離型紙１２から脱落することが防止される。また離型紙中央部分１２ａは離型紙外周部分１２ｂにミシン目ｆで繋がっているため、そのミシン目ｆを折ることで離型紙中央部分１２ａが離型紙外周部分１２ｂに重ね合わされる。離型紙中央部分１２ａおよび離型紙外周部分１２ｂはミシン目で繋がっていて分離しないため、作業完了後に離型紙１２を捨てるときに、ゴミの数が増加することがない。
【００１９】
続いて、図４（ｂ）および図５に示すように、粘着テープＴの両端部、即ちテープ外周部分１１ｂおよび離型紙外周部分１２ｂが積層されている部分を両手で持ち、テープ中央部分１１ａをサイドシルＳの所定の位置に位置決めして貼着する。このとき、テープ中央部分１１ａの粘着剤層１３に指を触れる必要がないため、粘着剤層１３にゴミや指紋が付くことが防止されて仕上がりが良好になるだけでなく、作業性が向上してテープ中央部分１１ａのサイドシルＳに対する位置決めも容易になる。
【００２０】
このようにしてテープ中央部分１１ａがサイドシルＳに貼着されたとき、離型紙外周部分１２ｂに覆われたテープ中央部分１１ａの両端部は未だサイドシルＳに貼着されていない状態にある。そこで、図６（ａ）に示すように、粘着テープＴのスリットｂ，ｅ側の端部をサイドシルＳから遠ざかる方向に引っ張ると（矢印Ａ３参照）、未だサイドシルＳに粘着していないテープ中央部分１１ａの一端部が離型紙外周部分１２ｂから剥がれ、続いて、図６（ｂ）に示すように、未だサイドシルＳに粘着していないテープ中央部分１１ａの他端部が離型紙外周部分１２ｂから剥がれることで、サイドシルＳに一部が貼着されたテープ中央部分１１ａからテープ外周部分１１ｂおよび離型紙１２が完全に分離する。
【００２１】
そして最後に、テープ中央部分１１ａの両端部をサイドシルＳに押し付けて貼着することで、テープ中央部分１１ａの貼着作業が完了する。テープ中央部分１１ａから分離したテープ外周部分１１ｂおよび離型紙１２は一体のままなので、廃棄すべきゴミの数を最小限に抑えることができる。
【００２２】
以上のように、テープ中央部分１１ａから離型紙中央部分１２ａを剥がしても、離型紙中央部分１２ａはテープ中央部分１１ａよりも若干小さく形成されているため、テープ中央部分１１ａの粘着剤層１３は完全に露出することはなく、テープ中央部分１１ａの両端部において粘着剤層１３が離型紙外周部分１２ｂに粘着することで、テープ中央部分１１ａが離型紙１２に保持される。従って、粘着テープＴの両端部を指で持ってテープ中央部分１１ａの貼着作業を行うことで、露出したテープ中央部分１１ａの粘着剤層１３に指を触れる必要がなくなり、粘着剤層１３の汚れを防止して貼着性能を高めることができ、しかも貼着部の仕上がりも美麗になる。
【００２３】
次に、図７に基づいて本発明の他の実施の形態を説明する。
【００２４】
図７（ａ）に示す第２の実施の形態は、テープ１１のスリットｃと離型紙１２のミシン目ｆとを同じ位置で重ならせたものである。このようにしても、離型紙中央部分１２ａをテープ中央部分１１ａから剥がしたときに、テープ中央部分１１ａの一端部が離型紙外周部分１２ｂに粘着しているため（網かけ部分参照）、テープ中央部分１１ａが脱落する虞がない。
【００２５】
以上説明した実施の形態は、テープ中央部分１１ａをテープ１１の上縁に沿って形成されているが、図７（ｂ）に示す第３実施の形態は、テープ中央部分１１ａがテープ１１の周縁から分離して内部に形成されている。また図７（ｃ）に示す第４の実施の形態は、前記第３の実施の形態の矩形状のテープ中央部分１１ａの両端部を半円形に丸めたものである。この第３、第４の実施の形態によっても、前記第１、第２の実施の形態と同様の作用効果を達成することができる。
【００２６】
以上、本発明の実施の形態を説明したが、本発明はその要旨を逸脱しない範囲で種々の設計変更を行うことが可能である。
【００２７】
例えば、実施の形態では被貼着物として自動車のサイドシルＳを例示したが、本発明の粘着テープＴは任意の被貼着物を対象とすることができる。
【００２８】
また実施の形態の粘着テープＴはチッピング防止用のものであるが、その用途は任意である。
【００２９】
また実施の形態では離型紙１２の離型紙中央部分１２ａおよび離型紙外周部分１２ｂの一部をミシン目ｆで接続しているが、ミシン目ｆの部分を切断してスリットｄ，ｅと同じようなスリットとしても良い。
【００３０】
またテープ１１の材質は合成樹脂に限定されるものではなく、離型紙１２の材質も狭義の紙に限定されず、合成樹脂等を含むものである。
【図面の簡単な説明】
【００３１】
【図１】自動車のサイドシルに貼られたチッピング防止用の粘着テープを示す図
【図２】粘着テープの斜視図
【図３】図２の３方向矢視図
【図４】粘着テープの貼着工程を示す第１分図
【図５】図４の５−５線断面図
【図６】粘着テープの貼着工程を示す第２分図
【図７】他の実施の形態に係る粘着テープを示す図
【符号の説明】
【００３２】
１１        テープ
１１ａ      テープ中央部分
１１ｂ      テープ外周部分
１２        離型紙
１２ａ      離型紙中央部分
１２ｂ      離型紙外周部分
１３        粘着剤層
ｆ          ミシン目
Ｓ          サイドシル（被貼着物）
【図１】
2007314674.tif 000003
【図２】
2007314674.tif 000004
【図３】
2007314674.tif 000005
【図４】
2007314674.tif 000006
【図５】
2007314674.tif 000007
【図６】
2007314674.tif 000008
【図７】
2007314674.tif 000009